(57)【要約】【課題】像反転部材回りでの投光ユニットや測光ユニットのコンパクトな配置を可能とする。【解決手段】撮像装置は、撮影光学系１０５からの光によって被写体像が形成される焦点部材１２８と、該焦点部材上に形成された被写体像を反転する像反転部材１２７と、該像反転部材を介して焦点部材側に設けられた表示部に表示光を照射する投光ユニット１３２ａ，１３２ｂと、像反転部材の射出面１２７ａから射出した光を眼に導く接眼光学系１２６とを有する。投光ユニットは、該射出面１２７ａよりも接眼光学系側の領域であって、接眼光学系の光軸を含む面Ｐの両側の領域に少なくとも１つずつ配置されている。【選択図】図４Ｂ
2008102453.tif 000002
【特許請求の範囲】
【請求項１】
撮影光学系からの光によって被写体像が形成される焦点部材と、
前記焦点部材上に形成された被写体像を反転する像反転部材と、
該像反転部材を介して前記焦点部材側に設けられた表示部に表示光を照射する投光ユニットと、
前記像反転部材の射出面から射出した光を眼に導く接眼光学系とを有し、
前記投光ユニットは、前記射出面よりも前記接眼光学系側の領域であって、前記接眼光学系の光軸を含む面の両側の領域に少なくとも１つずつ配置されていることを特徴とする撮像装置。
【請求項２】
前記像反転部材の射出面は、該像反転部材における前記接眼光学系側の第１の透過面上に形成されており、
前記投光ユニットは、前記第１の透過面を介して前記表示部に表示光を照射することを特徴とする請求項１に記載の撮像装置。
【請求項３】
前記投光ユニットは、前記接眼光学系の光軸を含む面に対して対称に配置されていることを特徴とする請求項１又は２に記載の撮像装置。
【請求項４】
前記像反転部材は、前記焦点部材に対して第１の方向に配置されており、
前記投光ユニットは、前記第１の方向に対して直交する第２の方向において、前記接眼光学系の光軸を含む面の両側に少なくとも１つずつ配置されていることを特徴とする請求項１から３のいずれか１つに記載の撮像装置。
【請求項５】
前記像反転部材の射出面は、該像反転部材における前記接眼光学系側の第１の透過面上に形成され、該第１の透過面を介して前記焦点部材からの光を受けて測光を行う測光ユニットを有し、
前記測光ユニットは、前記射出面から前記接眼光学系を通って進む光束の光路に対して前記第１の方向に配置され、かつ前記投光ユニットは、前記第２の方向において前記接眼光学系の光軸を含む面の両側に少なくとも１つずつ配置されていることを特徴とする請求項４に記載の撮像装置。
【請求項６】
前記測光ユニット及び前記投光ユニットは、前記光路に対して前記第１の方向に配置されていることを特徴とする請求項５に記載の撮像装置。
【請求項７】
請求項１から６のいずれか１つに記載の撮像装置と、
該撮像装置に対して着脱可能なレンズ装置とを有することを特徴とする撮像システム。
【発明の詳細な説明】
【技術分野】
【０００１】
本発明は、光学ファインダ内に各種情報を表示するための投光ユニットを備えた撮像装置に関する。
【背景技術】
【０００２】
一眼レフカメラ等の撮像装置には、被写体像を観察するための光学ファインダが備えられている。一眼レフカメラでは、撮影光学系から入射した光束がクイックリターンミラーにより反射されて焦点板に像を結ぶ。焦点板に形成された被写体像はペンタプリズム等の像反転部材により正立像とされ、これを接眼光学系を通して観察できる。
【０００３】
さらに、このような光学ファインダにおいて、被写体像に撮影情報等の各種情報を重ねて表示する、いわゆるスーパーインポーズ表示機能が知られている。このスーパーインポーズ表示機能を有する撮像装置としては、例えば特許文献１，２に開示されたものがある。
【０００４】
特許文献１の撮像装置では、複数の発光素子と、複数の反射面を有した光学部材とにより構成される投光ユニットをペンタプリズムの上方に配置している。そして、発光素子から発せられ、光学部材を介してペンタプリズムに入射した光を、焦点板上に配置された表示部材に対して照射することで、ファインダ画面内にある複数の焦点検出領域をスーパーインポーズ表示させる。
【０００５】
また、特許文献２の撮像装置では、ペンタダハプリズムの上部に投光用の光学面を形成し、該光学面に対向して、ＬＥＤと投光レンズからなる投光ユニットを配置している。焦点板とペンタダハプリズムとの間に、ＬＥＤに対応した微細なプリズム部を有する光学部材を配置し、該プリズム部をＬＥＤからの光で照明することで、焦点検出領域をスーパーインポーズ表示させる。
【特許文献１】特開平０８−０４３９１３号公報（段落００１２〜００１４、図１，２等）
【特許文献２】特開２００５−３３１９３０号公報（段落００１９、図３等）
【発明の開示】
【発明が解決しようとする課題】
【０００６】
一眼レフカメラにおいては、撮影光学系からの光を用いて測光を行っている。つまり、被写体から撮影光学系、クイックリターンミラー及び焦点板を介した光束が、結像レンズを通して測光センサに導かれる。
【０００７】
測光センサと結像レンズとにより構成される測光ユニットは、ペンタプリズムにおける射出面が形成された面（以下、第１の面という）に対向し、接眼光学系の上方に配置されることが多い。
【０００８】
一方、スーパーインポーズ表示を行うためのＬＥＤと投光レンズとにより構成される投光ユニットも、本来はペンタプリズムの第１の面に対向するよう配置したい。これは、特許文献１，２のように投光ユニットをペンタプリズムの上方に配置する形態は、カメラの外形高さの増加につながるためである。
【０００９】
しかしながら、測光ユニットが該第１の面に面した領域に配置されているために、両ユニットを共に該領域に配置することがスペース上困難である。
【００１０】
本発明は、像反転部材回りでの投光ユニットや測光ユニットのコンパクトな配置を可能とした撮像装置を提供することを目的の１つとしている。
【課題を解決するための手段】
【００１１】
本発明の一側面としての撮像装置は、撮影光学系からの光によって被写体像が形成される焦点部材と、該焦点部材上に形成された被写体像を反転する像反転部材と、該像反転部材を介して焦点部材側に設けられた表示部に表示光を照射する投光ユニットと、像反転部材の射出面から射出した光を眼に導く接眼光学系とを有する。そして、投光ユニットは、該射出面よりも接眼光学系側の領域であって、接眼光学系の光軸を含む面の両側の領域に少なくとも１つずつ配置されていることを特徴とする。
【発明の効果】
【００１２】
本発明では、投光ユニットを、像反転部材の射出面よりも接眼光学系側の領域であって接眼光学系の光軸を含む面（仮想面）の両側に分けて配置する。これにより、該領域に測光ユニットその他の部材が配置されていたとしても、投光ユニットを該領域に無理なく配置することができる。しかも、ファインダ内に表示する情報の量の増加に伴って必要な投光素子の数が増加しても、本発明によれば、投光ユニットのコンパクトな配置を実現できる。したがって、撮像装置の大型化も抑えることができる。
【発明を実施するための最良の形態】
【００１３】
以下、本発明の好ましい実施例について図面を参照しながら説明する。
【実施例１】
【００１４】
図１には、本発明の実施例である撮像装置としてのデジタル一眼レフカメラシステムの概略構成を示す。同図において、Ｃはデジタル一眼レフカメラ本体（以下、カメラという）、Ｌは交換レンズ（レンズ装置）である。
【００１５】
１０１はカメラＣ内に設けられたカメラコントローラとしてのＣＰＵであり、本カメラシステムの動作はこのＣＰＵ１０１により制御される。
【００１６】
１０５は交換レンズＬ内に設けられた撮影光学系（以下、撮影レンズという）であり、被写体からの光束を撮像素子１０６上に結像させる。撮像素子１０６は、ＣＣＤセンサやＣＭＯＳセンサ等の光電変換素子により構成されている。
【００１７】
１０２は撮影レンズ１０５から撮像素子１０６向かう光量を制御するシャッタである。１２１はメインミラーであり、撮影レンズ１０５からの光束の一部を後述する焦点板１２８に向けて反射し、残りをシャッタ１０２及び撮像素子１０６側に透過させる。
【００１８】
１２２はサブミラーであり、メインミラー１２１を透過した光束を、位相差検出方式で焦点検出を行う焦点検出ユニットＦＤに導く。焦点検出ユニットＦＤは、フィールドレンズ１２３、２次結像レンズ１２４及びＣＣＤラインセンサ１１９を有する。ラインセンサ１１９は、ファインダ画面上における縦３×横５の計１５箇所の焦点検出領域において、撮影レンズ１０５のデフォーカス量を検出する。ＣＰＵ１０１は、焦点検出ユニットＦＤからのデフォーカス量情報と撮影レンズ１０５のフォーカス敏感度情報とに基づいて、撮影レンズ１０５内の不図示のフォーカスレンズの駆動量を算出する。
【００１９】
算出されたフォーカスレンズの駆動量は、カメラ−レンズ間通信により、交換レンズＬに設けられたレンズ駆動部１２５に送られる。レンズ駆動部１２５は、受信したフォーカスレンズ駆動量に応じてフォーカスレンズを駆動する。これにより、位相差検出方式ＡＦによる合焦が得られる。
【００２０】
１２８は撮影レンズ１０５の結像面と等価な位置に配置された焦点板である。メインミラー１２１で反射された撮影レンズ１０５からの光束は、焦点板１２８によって被写体光は拡散され、その上方に配された不図示のフレネルレンズによって集光されることでユーザーに被写体像が視認し易くなる。焦点板１２８を透過した光束は、その上方に配置された像反転部材としてのペンタプリズム１２７に不図示のフレネルレンズを介して入射する。ペンタプリズム１２７は、焦点板１２８に形成された被写体像を上下左右に反転して正立像を形成する。
【００２１】
ペンタプリズム１２７から射出した光束は、接眼光学系（以下、接眼レンズという）１２６を通じて撮影者の眼に導かれる。これにより、撮影者は、焦点板１２８に拡散され、ペンタプリズム１２７で反転された被写体像を観察することができる。焦点板１２８、ペンタプリズム１２７及び接眼レンズ１２６により、いわゆるＴＴＬ方式光学ファインダが構成される。
【００２２】
１３０は被写体からの光束（可視光）の輝度を測定する測光センサである。ペンタプリズム１２７から射出した光束（焦点板１２８に被写体像を形成した光束）は、結像レンズ１２９及び視感度フィルタ１３０ａを通して測光センサ１３０上に結像する。
【００２３】
測光センサ１３０は、縦３×横５に分割された受光領域を有し、ファインダ視野（撮影画面）の１５の領域で測光を行うことができる。測光センサ１３０と結像レンズ１２９とにより測光ユニットが構成される。
【００２４】
１３２ａ，１３２ｂは、上述した位相差検出方式ＡＦによってピントが合った焦点検出領域を表示するための表示光を発するＬＥＤユニット（発光素子）である。各ＬＥＤユニット１３２ａ，１３２ｂには、図６に示すように、９個のＬＥＤ（ＬＥＤチップ）ｃ１１〜ｃ３３がマトリクス状に配列されている。各ＬＥＤチップは、通電のＯＮ及びＯＦＦにより点灯及び消灯する。
【００２５】
これらＬＥＤユニット１３２ａ，１３２ｂからの光は、投光レンズ１３１ａ，１３１ｂ及びペンタプリズム１２７を介して焦点板１２８上に照射される。ＬＥＤユニット１３２ａ及び投光レンズ１３１ａによって第１の投光表示ユニットが構成され、ＬＥＤユニット１３２ｂ及び投光レンズ１３１ｂによって第２の投光表示ユニットが構成される。
【００２６】
図４Ａ及び図４Ｂには、光学ファインダ、測光ユニット及び投光表示ユニットを拡大して示している。図４Ａは接眼レンズ１２６の光軸ＡＸＬに対して直交する方向から見た図であり、図４Ｂは接眼レンズ１２６の光軸ＡＸＬの方向（撮影者側）から見た図である。
【００２７】
ここで、ペンタプリズム１２７における接眼レンズ側の透過面を第１の透過面１２７ｂとし、該第１の透過面１２７ｂ上のうちペンタプリズム１２７から接眼レンズ１２６に導かれる光束が通過する領域をファインダ射出面１２７ａとする。
【００２８】
なお、図４Ａでは、第１の透過面１２７ｂと同一面上にファインダ射出面１２７ａが形成されている場合を示すが、第１の透過面１２７ｂとファインダ射出面１２７ａとの間に段差があってもよい。この場合も、ファインダ射出面１２７ａは第１の透過面１２７ｂ上に形成されているものとみなす。
【００２９】
ペンタプリズム１２７は、第１の透過面１２７ｂ以外に、焦点板１２８からの光束が入射し、第１及び第２の投光表示ユニット（１３２ａ，１３１ａ），（１３２ｂ，１３１ｂ）からの表示光が焦点板１２８に向かって射出する第２の透過面１２７ｃを有する。さらに、第２の透過面１２７ｃから入射した被写体光束を反射して（像反転して）、第１の透過面１２７ｂに導いたり、第１の透過面１２７ｂから入射した表示光を反射して第２の透過面１２７ｃに導いたりする複数の反射面１２７ｄをも有する。
【００３０】
図４Ａに示すように、ファインダ射出面１２７ａ（第１の透過面１２７ｂ）よりも接眼レンズ側の領域において、接眼レンズ１２６の光軸ＡＸＬを含み、図４Ａの紙面に平行な面を仮想面Ｐとする。この仮想面Ｐは、図１に一点鎖線で示す、撮影レンズ１０５からメインミラー１２１及びペンタプリズム１２７までの光学系の光軸を含む面でもある。
【００３１】
図４Ｂに示すように、第１及び第２の投光表示ユニット（１３２ａ，１３１ａ），（１３２ｂ，１３１ｂ）は、仮想面Ｐを挟んだ左右方向（第２の方向）の両側に配置されている。ファインダ射出面１２７ａから射出して接眼レンズ１２６を通過し、撮影者の眼に至る光束の光路をファインダ光路ＦＯＰとするとき、第１及び第２の投光表示ユニットは、該ファインダ光路ＦＯＰの左右両側に配置されている。
【００３２】
さらに、第１及び第２の投光表示ユニットは、上記仮想面Ｐを対称面として相互に面対称となるように配置されている。
【００３３】
第１及び第２の投光表示ユニットは、第１の透過面１２７ｂのうちファインダ射出面１２７ａ以外の領域に対向するように配置されており、この領域から表示光をペンタプリズム１２７内に入射させる。ペンタプリズム１２７に入射した表示光は、上述したペンタプリズム１２７の反射面及び第２の透過面１２７ｃを介して焦点板１２８上に形成された焦点検出領域表示部ｓ１１〜ｓ３５に照射される。
【００３４】
なお、本実施例では、表示光が照射される焦点検出領域表示部ｓ１１〜ｓ３５を焦点板１２８上に形成した場合について説明する。しかし、特許文献１，２にて開示されているように、焦点板１２８とペンタプリズム１２７との間に、焦点検出領域表示部ｓ１１〜ｓ３５が形成された表示部材又は光学部材を配置して、この表示部材等に表示光を照射するようにしてもよい。いずれにせよ、表示光は、ペンタプリズム１２７を介して焦点板側に設けられた焦点検出領域表示部に導かれる。
【００３５】
また、本実施例では、第１及び第２の投光表示ユニットからの表示光を焦点検出領域を表示する表示部に照射する場合について説明するが、焦点検出領域以外の情報を表示するために各投光表示ユニットを用いてもよい。
【００３６】
一方、測光ユニット（１２９，１３０ａ，１３０）は、接眼レンズ１２６の光軸ＡＸＬ、言い換えれば、ファインダ光路ＦＯＰよりも上方（第１の方向）に配置され、第１の透過面１２７ｂのうちファインダ射出面１２７ａ以外の領域に対向する。測光ユニットは、該領域からペンタプリズム１２７を射出した光束を受けて測光を行う。測光ユニットは、その中心軸が仮想面Ｐに含まれるように配置されている。
【００３７】
図５には、撮影者が接眼レンズ１２６を覗いたときに観察されるファインダ画面を模式的に示している。ファインダ画面内には、焦点板１２８上に形成された１５個の焦点検出領域表示部ｓ１１〜ｓ３５が設けられている。また、これら１５個の焦点検出領域表示部のそれぞれの周囲には、測光領域が設定されている。
【００３８】
また、図７には、焦点板１２８における１つの焦点検出領域表示部（ｓ１１〜ｓ３５）の断面を拡大して示している。
【００３９】
ＬＥＤユニット１３２から投光レンズ１３１とペンタプリズム１２７（図には模式的に示す）を介して焦点板１２８に照射された表示光ＤＬは、焦点検出領域表示部を構成するプリズム部の外面で反射し、ペンタプリズム１２７を介して撮影者の眼に導かれる。これにより、撮影者には、焦点検出領域表示部が光っているように見える。また、各焦点検出領域表示部は、実際には複数の微細なプリズム群により構成されている。該プリズム群を四角形状に配置してここに表示光を照射することで、撮影者は四角形枠が光って見える。
【００４０】
図５は、９個の焦点検出領域表示部ｓ１１〜ｓ３３に対して表示光（ＬＥＤ照射光）が照射されている状態を示す。第２の投光表示ユニットを構成するＬＥＤユニット１３２ｂに設けられた９つのＬＥＤチップｃ１１〜ｃ３３が全て点灯している状態である。
【００４１】
一方、第１の投光表示ユニットを構成するＬＥＤユニット１３２ａにも９つのＬＥＤチップｃ１１〜ｃ３３が設けられているが、このうち６個ｃ１１〜ｃ３２のみが６つの焦点検出領域表示部ｓ１４〜ｓ３５を表示するために用いられる。
【００４２】
また、１つのＬＥＤチップの大きさが０．３×０．３ｍｍで、ＬＥＤチップ間の間隔が１ｍｍとすると、約５倍の投影倍率になるように投光レンズ１３１のパワーが設定されている。
【００４３】
以上のように、本実施例によれば、仮想面Ｐを挟んだ両側に分かれて配置された２つの投光表示ユニットからの表示光によって、焦点板１２８上に形成された焦点検出領域表示部ｓ１１〜ｓ３３のうち任意のものを点灯表示することができる。
【００４４】
このように投光表示ユニットを仮想面Ｐの両側に少なくとも１つずつ配置することで、ペンタプリズム１２７の第１の透過面１２７ｂに面する領域に、測光ユニットが配置されていても、無理なく各投光表示ユニットを配置することができる。したがって、カメラの大型化を回避することができる。
【００４５】
さらに、焦点検出領域表示部の数とともにこれを照明するＬＥＤチップの数が増加して各投光表示ユニットが大きくなっても、ある程度まではカメラを大型化しなくても対応できる。
【００４６】
図２には、本実施例のカメラシステムの電気的構成を示す。同図において、１０１は前述したＣＰＵである。該ＣＰＵ１０１には、制御プログラムを記憶しているＲＯＭ１５０、ＲＡＭ１０３、データ格納部１０４、画像処理部１０８、ＬＣＤ制御部１１１、レリーズＳＷ１１４及び電源を供給するためのＤＣ／ＤＣコンバータ１１７が接続されている。画像処理部１０８には、ＣＣＤ制御部１０７が接続されている。
【００４７】
ＬＣＤ制御部１１１には、表示駆動部１１２が接続され、さらに表示駆動部１１２には、図１にも示す表示部１１３が接続されている。表示部１１３は、ＴＦＴカラー液晶ディスプレイ等により構成され、撮像素子１０６で取得された画像を表示することができる。
【００４８】
ＤＣ／ＤＣコンバータ１１７には電池１１６から電源が供給されており、ＤＣ／ＤＣコンバータ１１７は適切な動作電圧をＣＰＵ１０１に供給する。
【００４９】
ＣＰＵ１０１は、ＲＯＭ１５０内の制御プログラムに基づいて各種制御を行う。これらの制御の中には、画像処理部１０８から出力された撮影画像信号の読み込み、ＲＡＭ１０３へＤＭＡ転送を行う処理、ＲＡＭ１０３からＬＣＤ制御部１１１へデータをＤＭＡ転送する処理が含まれる。また、画像データをＪＰＥＧ圧縮し、ファイル形式でデータ格納部１０４へ格納する処理も行う。
【００５０】
さらにＣＰＵ１０１は、撮像素子１０６、ＣＣＤ制御部１０７、画像処理部１０８及びＬＣＤ制御部１１１などに対して、データ取り込み画素数やデジタル画像処理の変更指示を行う。
【００５１】
１１９は図１にも示した焦点検出用の一対のＣＣＤラインセンサである。焦点検出制御部１２０は、これらラインセンサ１１９から得た電圧をＡ／Ｄ変換し、ＣＰＵ１０１に送る。また、ＣＰＵ１０１の指示のもと、焦点検出制御部１２０は、ラインセンサ１１９の蓄積時間とＡＧＣ（オートゲインコントロール）の制御も行う。
【００５２】
ＣＰＵ１０１は、焦点検出制御部１２０から送られてきた信号（デフォーカス量）を処理することで、被写体に対する現在の焦点状態から合焦に至るためのフォーカスレンズ駆動量を算出し、該駆動量の情報をレンズ駆動部１２５に送信する。レンズ駆動部１２５は、該駆動量情報に基づいて、フォーカスレンズを駆動する。
【００５３】
１３０は前述した測光センサであり、被写体の輝度を検出してＣＰＵ１０１に信号（輝度情報）を送る。ＣＰＵ１０１は、この輝度情報に基づいて、撮像素子１０６に対する露光量を算出し、シャッター秒時を決定したり撮影レンズ１０５内の不図示の絞りを制御したりする。
【００５４】
１１８はＬＥＤユニット１３２ａ，１３２ｂを駆動するＬＥＤ駆動部である。該ＬＥＤ駆動部１１８は、ピントが合った焦点検出領域に対応したＬＥＤチップを点灯させる。また、測光センサ１３０から得られた輝度情報に応じて、ＬＥＤチップに流す電流を変化させて、ファインダ画面上焦点検出領域表示部を光らせる。
【００５５】
また、レリーズＳＷ１１４の操作に伴い撮影動作を指示する処理や、各素子への電源の供給をコントロールするための制御信号をＤＣ／ＤＣコンバータ１１７に対して出力する処理も、ＣＰＵ１０１の制御の下で行われている。
【００５６】
ＲＡＭ１０３は、画像展開エリア１０３ａ、ワークエリア１０３ｂ、ＶＲＡＭ１０３ｃ及び一時退避エリア１０３ｄを備えている。画像展開エリア１０３ａは、画像処理部１０８から送られてきた撮影画像（ＹＵＶデジタル信号）やデータ格納部１０４から読み出されたＪＰＥＧ圧縮画像データを一時的に格納するためのテンポラリバッファとして用いられる。また、画像展開エリア１０３ａは、画像圧縮処理や解凍処理のための画像専用ワークエリアとして使用される。
【００５７】
ワークエリア１０３ｂは、各種プログラムのためのワークエリアである。ＶＲＡＭ１０３ｃは、表示部１１３へ表示するデータを格納するＶＲＡＭとして使用される。また、一時退避エリア１０３ｄは、各種データを一時退避させるためのエリアである。
【００５８】
データ格納部１０４は、ＣＰＵ１０１によりＪＰＥＧ圧縮された撮影画像データや、アプリケーションにより参照される各種付属データ等をファイル形式で格納しておくためのフラッシュメモリである。
【００５９】
撮影レンズ１０５は、複数枚のレンズで構成され、被写体像を光学的に撮像素子１０６に投影する。撮像素子１０６は、該撮影レンズ１０５によって投影された被写体像をアナログ電気信号に変換する。
【００６０】
ＣＣＤ制御部１０７は、撮像素子１０６に転送クロック信号やシャッタ信号を供給するためのタイミングジェネレータを含む。また、ＣＣＤ出力信号のノイズ除去、ゲイン処理を行うための回路、さらにはアナログ信号を１０ビットデジタル信号に変換するためのＡ／Ｄ変換回路等も含んでいる。
【００６１】
画像処理部１０８は、ＣＣＤ制御部１０７から出力された１０ビットデジタル信号に対して、ガンマ変換、色空間変換、ホワイトバランス、ＡＥ、フラッシュ補正等の画像処理を施す。これにより、ＹＵＶ（４：２：２）フォーマットの８ビットデジタル信号を生成する。
【００６２】
ＬＣＤ制御部１１１は、画像処理部１０８から転送されたＹＵＶデジタル画像データ、又はデータ格納部１０４内の画像ファイルに対してＪＰＥＧの解凍処理を行ったＹＵＶデジタル画像データを受け取る。そして、これをＲＧＢデジタル信号へ変換した後、表示駆動部１１２へ出力する。表示駆動部１１２は表示部１１３を駆動するための制御を行う。
【００６３】
レリーズＳＷ１１４は、撮影動作の開始を指示するためのスイッチである。このレリーズＳＷ１１４は、不図示のレリーズボタンの押下げによって操作され、２段階のスイッチポジションを有する。１段目のポジション（ＳＷ１−ＯＮ）の検出で、ホワイトバランス、ＡＥ等のカメラ設定のロック動作が行われ、２段目のポジション（ＳＷ２−ＯＮ）の検出で、露光、すなわち被写体画像の取り込み動作が行われる。
【００６４】
電池１１６は、リチャーチャブルの２次電池あるいは乾電池である。また、ＤＣ／ＤＣコンバータ１１７は、電池１１６からの電源供給を受け、昇圧やレギュレーションを行うことによって複数の電源を作り出す。これら複数の電源は、ＣＰＵ１０１をはじめとする各素子に供給される。このＤＣ／ＤＣコンバータ１１７は、ＣＰＵ１０１からの制御信号により、各電源の供給の開始と停止を制御できる。
【００６５】
次に、図３を用いて、本実施例のカメラシステムの動作について説明する。カメラＣの不図示の電源スイッチをＯＮにすると、該カメラＣの電源がＯＮされる（ステップＳ２００）。
【００６６】
ＣＰＵ１０１は、レリーズボタンが押し込まれてレリーズＳＷ１１４（ＳＷ１）がＯＮされるまで待機する（ステップＳ２０１）。ステップＳ２０１にて、ＳＷ１がＯＮされたことを検知すると、ＣＰＵ１０１は、前述した測光センサ１３０から各測光領域の輝度情報を得て、不図示のメモリに記憶する（ステップＳ２０２）。
【００６７】
また、測光で得られた輝度情報に基づいて、所定の測光アルゴリズム演算により露出値である撮影レンズ１０５の絞り値とシャッター秒時を決定する。測光センサ１３０から得られる輝度情報から最適な露出値を算出するアルゴリズムは、単純な加算平均でもよいし、後述するステップＳ２０３で決定される焦点検出領域に対応した測光領域に重み付けした演算であってもよい。
【００６８】
ここで、カメラの焦点検出領域選択モードが手動モードに設定されている場合（例えば、不図示の焦点検出領域選択スイッチがＯＮ操作された場合）は、撮影者が不図示のダイヤルの操作によって１５個のうち１つの焦点検出領域を任意に選択できる。一方、焦点検出領域自動モードに設定されている場合は、ＣＰＵ１０１は、１５個の焦点検出領域で求められたデフォーカス量に基づいて１つの焦点検出領域を自動的に選択する。焦点検出領域を自動選択するアルゴリズムはどのようなものでもよいが、中央の焦点検出領域に重み付けした近点優先アルゴリズムが有効である。以上のようにして、１つの焦点検出領域が決定される（ステップＳ２０３）。
【００６９】
次に、ＣＰＵ１０１は、ステップＳ２０３で選択された焦点検出領域に対するデフォーカス量と撮影レンズ１０５のフォーカス敏感度等に基づいて、フォーカスレンズの駆動量を算出する。そして、レンズ駆動部１２５に駆動量情報を送信し、フォーカスレンズを駆動させる（ステップＳ２０４）。
【００７０】
フォーカスレンズの駆動によって合焦が得られると、ＣＰＵ１０１は、ステップＳ２０３で選択された焦点検出領域に対応したＬＥＤチップを点灯させる。これにより、焦点検出領域表示部ｓ１１〜ｓ３５のうち選択された焦点検出領域に対応した１つがスーパーインポーズ表示される（ステップＳ２０５）。
【００７１】
続いて、撮影者が引き続きＳＷ１をＯＮし続け（ステップＳ２０６）、さらにレリーズボタンを押し込んでＳＷ２がＯＮされた場合は（ステップＳ２０７）、ＣＰＵ１０１は不図示のシャッタ制御部及び絞り駆動部とＣＣＤ制御部１０７とにそれぞれ信号を送信して、撮影動作を行う（ステップＳ２０８）。
【００７２】
ステップＳ２０６においてＳＷ１がＯＦＦと判断した場合は、ステップＳ２０１に戻ってＳＷ１がＯＮされるまで待機する。また、ステップＳ２０７において、ＳＷ２がＯＦＦと判断した場合は、ステップＳ２０６に戻り、ＳＷ２がＯＮされるまで待機する。
【００７３】
撮影動作では、まず不図示のモータ制御部を介してミラー駆動モータに通電し、メインミラー１２１及びサブミラー１２２をアップさせる。続いて、撮影レンズ１０５の絞りを絞り込んだ後、シャッタ１０２の先幕を開放する。これにより、撮像素子１０６での被写体像に応じた電荷の蓄積が開始される。所定のシャッタ秒時が経過した後、シャッタ１０２の後幕が閉じることで、撮像素子１０６での電荷蓄積が終了する。次に、ミラー駆動モータに再度通電がなされ、ミラーダウン及びシャッタチャージを行い、一連の撮影動作が終了する。
【００７４】
以上の撮影動作によって撮像素子１０６に蓄積された電荷は、ＣＣＤ制御部１０７により読み出され、画像処理部１０８によってデジタル画像データに変換される。さらに、ＲＡＭ１０３に一時的に格納される。次に、格納されたデジタル画像データは、表示部１１３での表示に適した画像データに変換され、表示用のＶＲＡＭ１０３ｃに再格納される。そして、該画像データは所定のタイミングで表示部１１３に表示される（ステップＳ２０９）。
【００７５】
一方、ＲＡＭ１０３に格納されたデジタル画像データは、ＪＰＥＧ圧縮処理された後、データ格納部１０４によって半導体メモリ等の記録媒体に記録される（ステップＳ２１０）。
【００７６】
次に、ＣＰＵ１０１は、再び撮影者が何らかの操作を行うまで入力待ちの状態となる（ステップＳ２１１）。
【実施例２】
【００７７】
図８Ａ及び図８Ｂには、本発明の実施例２であるデジタル一眼レフカメラにおけるペンタプリズムの周辺構造を示している。本実施例において、実施例１と共通する構成要素には実施例１と同符号を付す。
【００７８】
本実施例では、測光ユニットを構成する結像レンズを光学部材（プリズム）１２９Ａに一体形成している。プリズム１２９Ａは、ペンタプリズム１２７から入射した光束を上方に曲げ、その上方に配置された測光センサ１３０に導く。
【００７９】
また、プリズム１２９Ａは、第１の投光表示ユニット（１３２ａ，１３１ａ）と第２の投光表示ユニット（１３２ｂ，１３１ｂ）とを、測光ユニットの両側に配置されている。これにより、測光ユニットと両投光表示ユニットは、ファインダ光路ＦＯＰの上方にまとめて配置される。
【００８０】
また、本実施例でも、実施例１と同様に、第１の投光表示ユニット及び第２の投光表示ユニットは、ペンタプリズム１２７のファインダ射出面１２７ａ（第１の透過面１２７ｂ）よりも接眼レンズ１２６側の領域において仮想面Ｐの両側に配置されている。さらに言えば、本実施例でも、第１及び第２の投光表示ユニットは、互いに仮想面Ｐを対称面とする面対称となるように配置されている。
【００８１】
本実施例でも、投光表示ユニットを仮想面Ｐの両側に少なくとも１つずつ配置することで、ペンタプリズム１２７の第１の透過面１２７ｂに面する領域に、測光ユニットが配置されていても、無理なく各投光表示ユニットを配置することができる。したがって、カメラの大型化を回避することができる。
【図面の簡単な説明】
【００８２】
【図１】本発明の実施例１であるカメラシステムの概略図。
【図２】実施例１のカメラシステムの電気回路ブロック図。
【図３】実施例１のカメラシステムの動作を示すフローチャート。
【図４Ａ】実施例１のカメラにおけるペンタプリズム周辺の側面図。
【図４Ｂ】実施例１のカメラにおけるペンタプリズム周辺の背面図。
【図５】実施例１のカメラにおけるファインダ画面の模式図。
【図６】実施例１のカメラに用いられるＬＥＤユニットの模式図。
【図７】実施例１におけるスーパーインポーズ表示の原理の説明図。
【図８Ａ】本発明の実施例２であるカメラにおけるペンタプリズム周辺の側面図。
【図８Ｂ】実施例１のカメラにおけるペンタプリズム周辺の背面図。
【符号の説明】
【００８３】
１０１  ＣＰＵ
１０５  撮影レンズ
１０６  撮像素子
１２１  メインミラー
１２６  接眼レンズ
１２７  ペンタプリズム
１２７ａ  ファインダ射出面
１２７ｂ  第１の透過面
１２８  焦点板
１２９  結像レンズ
１３０ａ  赤外吸収フィルタ
１３０  測光センサ
１３１ａ，１３１ｂ  投光レンズ
１３２ａ，１３２ｂ  ＬＥＤユニット
Ｐ  仮想面
【図４Ｂ】
2008102453.tif 000003
【図８Ａ】
2008102453.tif 000004
【図８Ｂ】
2008102453.tif 000005
【図１】
2008102453.tif 000006
【図２】
2008102453.tif 000007
【図３】
2008102453.tif 000008
【図４Ａ】
2008102453.tif 000009
【図５】
2008102453.tif 000010
【図６】
2008102453.tif 000011
【図７】
2008102453.tif 000012